(57)【要約】【課題】従来の整列供給装置においては、製品７がトラックからガイド部に移行するときに２個重なった状態で移行し、コンベアベルトによりガイド部入口で製品を１個づつ移行するように振り分けていたので、ガイド部入口周辺に製品が滞留してガイド部に製品を安定して供給出来ないという問題点があった。【解決手段】回転テーブル２と、回転テーブル２の外周に位置するトラック３と、トラック３とケース出口を繋ぐガイド部５を有する整列供給装置１であって、回転テーブル２とトラック３の境に製品７が通過できる間隙２２を下端部に有する隔壁４を設けた。【選択図】図２
2005206267.tif 000002
【特許請求の範囲】
【請求項１】
回転テーブルと、該回転テーブルの外周に位置するトラックと、該トラックとケース出口を繋ぐガイド部を有する整列供給装置であって、回転テーブルとトラックとの境に製品が通過できる間隙を下端部に有する隔壁を設けたことを特徴とする整列供給装置。
【発明の詳細な説明】
【技術分野】
【０００１】
本発明は、整列供給装置に係り、特に、無造作に収容されたＯリング等の部品または製品を整列して送り出す整列供給装置に関する。
【背景技術】
【０００２】
従来、この種の整列供給装置については、下記特許公報に開示されている。
【０００３】
【特許文献１】特開平１０−２３５５２４号公報
【特許文献２】特開平５−２２９６３６号公報
【０００４】
前記特許文献１に記載されている整列供給装置１０１は、図３に示すように、円筒の箱体１０２の中に投入された製品１０３を、空気送入口１０４から空気を送入することによって回転させて、所定の隙間を設けたガイド部１０５に挿入し、製品１０３が該ガイド部１０５を通る間に製品１０３の間隔を一定に調整して１個づつ製品１０３を供給することができるようにしたものである。しかし、前記整列供給装置１０１においては、円筒の箱体１０２の中に供給される製品１０３を空気送入口１０４から送入された空気によって回転させるために、製品１０３の重量が重くなった場合に、十分に製品１０３を回転することが出来ないという問題点があった。また、空気送入口から送入する空気の流量の調整が難しく、製品供給間隔を安定させることが困難であり、別途整列装置をつける必要があった。
【０００５】
また、前記特許文献２に記載されている整列供給装置１１０は、図４・図５に示すように、回転テーブル１１１の上に載せたれた多数の製品１０３が、回転テーブル１１１回転時の遠心力によりトラック１１２に移動し、回転テーブル１１１と同方向に回転しているトラック１１２の回転力により製品１０３がガイド部１１３に送り込まれ、該ガイド部１１３を通って出口１１５より１個づつに製品１０３を供給することを目的としたものであり、製品１０３の重量及び空気の流量の影響を受けない点で前記特許文献１記載の装置１０１より安定して製品を供給することができる。
【０００６】
しかし、前記装置１１０の場合、製品１０３が重なった状態でガイド部１１３に送り込まれようとしたときに、ガイド部１１３の入口１１４に設けられたコンベアベルト１１６の高さを調整することで上に重なった製品１０３を振り落として１個づつに製品１０３を供給するようにしている。したがって、ガイド部の入口１１４でコンベアベルトによって上に重なっていて振り落とされた製品１０３が入口１１４の周辺に滞留し、滞留した製品１０３が障害となってガイド部に製品１０３を安定して供給することができないという問題点があった。
【発明の開示】
【発明が解決しようとする課題】
【０００７】
本発明は上記した問題点を除くためになされたものであって、その目的とするところは、製品が重なった状態でガイド部に行くことによる入口付近での製品の滞留をなくし、ガイド部に製品を１個づつ供給することができる整列供給装置を提供することを目的とするものである。
【課題を解決するための手段】
【０００８】
上記目的を達成するため、本発明の請求項１に係る発明は、回転テーブルと、該回転テーブルの外周に位置するトラックと、該トラックと装置出口を繋ぐガイド部を有する整列供給装置であって、回転テーブルとトラックとの境に製品が通過できる間隙を下端部に有する隔壁を設けたことを特徴とするものである。
【発明の効果】
【０００９】
本発明は、以下の効果を奏する。
【００１０】
すなわち、上記構成を備えた本発明の整列供給装置は、回転テーブルとトラックの境に下端部に間隙を設けた隔壁を有するので、回転テーブルの上に載せられた多数の製品が、回転テーブル回転時の遠心力によりトラックに移動するとき、上下に重なった製品のうち上に載っている製品は、隔壁によりトラックへの移行が阻止されて回転テーブル上に落とされ移行することができず、下になっている製品のみが隔壁に形成されている間隙を通過してトラックに移行することができるので、ガイド部には製品が重なった状態ではなく、製品を１個づつ送り込むことができるのでガイド入口での製品の滞留を防止することができる効果が得られる。また、回転テーブルからトラックへ無理して製品を入り込ませようとする力が働かないので、トラックには製品が１個づつ整列した状態となり、ガイド入口での詰まり防止の効果が大きい。
【発明を実施するための最良の形態】
【００１１】
以下本発明を図面に示す実施例に基づいて説明する。
【００１２】
図１は、本発明の実施例に係る整列供給装置１であって、回転テーブル２と、回転テーブル２の外側に位置するトラック３と、回転テーブル２とトラック３を仕切る隔壁４と、トラック３と出口６を繋ぐガイド部５を備えている。
【００１３】
回転テーブル２は、図２に示す通り、回転軸１１を中心として回転するように形成されており、回転テーブル２の回転面１２が水平になるように据付られている。該回転テーブル２の外周には回転軸１１により回転テーブル２と同方向に回転するトラック３が形成されており、該トラック３の表面１３の高さは、回転テーブル２の回転面１２の高さと同じであるか僅かに低く形成されている。
【００１４】
回転テーブル２とトラック３の境には、製品７が重なった状態でトラック３に移動するのを防止するための隔壁４が形成されている。この隔壁４の下端部には、製品１個が回転テーブル２からトラック３に移行できるが２個以上が重なった場合には上の方に位置する製品７がトラックに移行できない高さの間隙２２が設けられている。
【００１５】
トラック３は、外周が障壁２３で形成されており、内周に形成されている隔壁４とで形成されるトラックの幅Ｗは、製品が円周方向に２個以上並列に並ばない幅に形成されている。
【００１６】
上記構成を備えた整列供給装置１は、回転テーブル２の表面１２に載せられている製品７が、回転テーブル２の回転により遠心力で回転テーブル２の中心から外側に移動し、更に回転テーブル２の外周に位置し、回転テーブル２と同方向に回転しているトラック３に移動しようとする。この場合において、回転テーブル２とトラック３の境に製品７が１個だけ通る程度の間隙２２を下端部に有する隔壁４が設けられているので、製品７が１個の場合は間隙２２を通過してトラック３に移行する。しかし、製品７が２個重なった場合には、上側に位置する製品７が隔壁４に遮られてトラック３に移行することが出来ずに回転テーブル２の回転面１２上に振り落とされ、下側に位置する製品７だけがトラック３に移行する。しかも、トラックの幅Ｗが、製品７が１個だけ並ぶ幅であるので、トラック３には製品７が１個づつ整列された状態となり、その整列された状態で製品７がガイド部５に導かれるので、ガイド部５に押し込まれた製品７は１個づつガイド部５を通って出口６まで移行することになる。
【００１７】
尚、隔壁の下端部に設けられている間隙２２の高さは、製品７の大きさに合わせて調整することにより、どのような製品にも対応可能である。
【００１８】
また、トラック３の回転速度は変更可能であり、回転速度を変更することにより製品７を供給する間隔を任意に変更することができる。
【図面の簡単な説明】
【００１９】
【図１】本発明の実施例に係る整列供給装置の斜視図
【図２】図１の整列供給装置の断面図
【図３】従来例１の整列供給装置の斜視図
【図４】従来例２の整列供給装置の平面図
【図５】図４の正面図
【符号の説明】
【００２０】
１    整列供給装置
２    回転テーブル
３    トラック
４    隔壁
５    ガイド部
６    出口
７    製品（部品）
１１  回転軸
１２  回転面
１３  トラック面
２２  間隙
２３  障壁
Ｗ  トラックの幅
【図１】
2005206267.tif 000003
【図２】
2005206267.tif 000004
【図３】
2005206267.tif 000005
【図４】
2005206267.tif 000006
【図５】
2005206267.tif 000007